(57)【要約】【課題】繊維の糸量が少なく、生体にマッチした適度な伸度と強度が得られ、成形する時のほつれやカールなどが生じない取り扱い性の良く成形品が偏りなく安定して作製出来、手術等の医療行為の際に縫合などの扱い性に優れる再生医療用基材が求められている。【解決手段】編地と生体吸収性材料を複合化してなる再生医療用基材であって、編地がツインニット（タイプＡ）又はツインニット（タイプＢ）である基材。【選択図】  図１
2004208908.tif 000002
【特許請求の範囲】
【請求項１】
編地と生体吸収性材料を複合化してなる再生医療用基材であって、編地がツインニット（タイプＡ）、ツインニット（タイプＢ）、ツインニット（タイプＣ）の中から選択された基材：
ここで、ツインニット（タイプＢ）は、相隣接するウエールにおいて、一対の下針を介して夫々閉鎖状編目を形成し、且つ同一対の閉鎖状編目間に連結されたシンカーループを一対の下針側に係止し、同一対の閉鎖状編目に夫々連なるシンカーループを介して係止状編目を編成するように構成したことを特徴とするメリヤス生地、ツインニット（タイプＣ）は、相隣接するウエールにおいて、一対の下針を介して夫々閉鎖状編目を形成し、且つ同一対の閉鎖状編目間に連結されたシンカーループを一対の下針側に係止してタック編によりタック編ループを編成するように構成したことを特徴とするメリヤス生地である。
【請求項２】
編目の一辺の長さが０．１ｍｍから１０ｍｍの範囲にあるツインニット（タイプＡ）、ツインニット（タイプＢ）、ツインニット（タイプＣ）の何れかである請求項１記載の基材。
【発明の詳細な説明】
【０００１】
【発明の属する技術分野】
本発明は、再生医療用基材に関する。
【０００２】
【従来の技術及びその課題】
従来、再生医療基材としては、生体分解吸収性材料からなる基材が知られている（特許文献１〜５）。しかしながら、このような基材では、十分な伸縮性、強度、耐久性、ほつれ・カールなどの取り扱い性等の特性が得られない場合があった。
【０００３】
本発明は、十分な特性を有する再生医療用基材を提供することを目的とする。
【０００４】
【特許文献１】
特開２００１−２３８９００号公報
【０００５】
【特許文献２】
特開２００１−１２０５８２号公報
【０００６】
【特許文献３】
特開２００１−７８７５０号公報
【０００７】
【特許文献４】
特開平１０−２３４８４４号公報
【０００８】
【特許文献５】
特開平１０−７１１９９号公報
【０００９】
【課題を解決しようとする手段】
本発明は、以下の再生医療用基材を提供するものである。
項１．  編地と生体吸収性材料を複合化してなる再生医療用基材であって、編地がツインニット（タイプＡ）、ツインニット（タイプＢ）、（タイプＣ）の中から選択された基材：
ここで、ツインニット（タイプＢ）は、相隣接するウエールにおいて、一対の下針を介して夫々閉鎖状編目を形成し、且つ同一対の閉鎖状編目間に連結されたシンカーループを一対の下針側に係止し、同一対の閉鎖状編目に夫々連なるシンカーループを介して係止状編目を編成するように構成したことを特徴とするメリヤス生地、ツインニット（タイプＣ）は、相隣接するウエールにおいて、一対の下針を介して夫々閉鎖状編目を形成し、且つ同一対の閉鎖状編目間に連結されたシンカーループを一対の下針側に係止してタック編によりタック編ループを編成するように構成したことを特徴とするメリヤス生地である。
項２．  編目の一辺の長さが０．１ｍｍから１０ｍｍの範囲にあるツインニット（タイプＡ）、ツインニット（タイプＢ）、ツインニット（タイプＣ）の何れかである請求項１記載の基材。
【００１０】
【発明の実施の形態】
本発明において編み地としては、ツインニット（タイプＡ）又はツインニット（タイプＢ）、ツインニット（タイプＣ）を例示することができる。
【００１１】
ツインニット（タイプＡ）は公知の編み組織であり、例えば、１９４９年技報堂出版の「編組工学」（著者；米田英夫氏）２５１頁第２４９図（一）に記載されている。
【００１２】
かかるツインニット（タイプＡ）は、ツインニット（タイプＢ）の編成方法に従って編成可能である。
【００１３】
なお、図１に示すツインニット（タイプＡ）と図２、図３に示すツインニット（タイプＢ）の異なる点は、ツインニット（タイプＢ）は一対のシンカーを用いて製造できるのに対し、ツインニット（タイプＡ）は右曲がりのみのシンカーで編成しているところである。
【００１４】
図２にツインニット（タイプＢ）１の組織図を示す。同編地は、例えば、本願出願人の出願に係る特願２００２−１９７００９号に記載するように下釜及び上釜を有するメリヤス丸編機において下釜側に下針を設けると共に、適宜の切溝を設けた上釜には左右対称な一対のシンカー付摺動部材を順次配設した編機であり、該シンカー付摺動部材を夫々広幅状摺動部、細幅状摺動部、バッド、折曲部並びにシンカーにより構成したもので、かかる編機を用い、相隣接するウエールにおいて、一対の下針を介して夫々閉鎖状編目を形成し、且つ同一対の閉鎖状編目間に連結されたシンカーループを一対の下針側に係止し、同一対の閉鎖状編目に夫々連なるシンカーループを介して係止状編目を編成したものである。なお、同図において２、５は夫々相隣接するウエールにおける閉鎖状編目、３，６は夫々シンカーループを下針側に係止して編成した係止状編目である。かかる係止状編目３は、図２において閉鎖状編目２の右側の部位から左斜め上方向に向かって表面側に表出した状態で編成されており、一方前記係止状編目６は、図２の如く閉鎖状編目５の左側の部位から右斜め上方向に向かって表面側に位置した状態で編成されている。従って前記係止状編目３，６が夫々相反する方向に編成されているために、バランスがとれてメリヤス生地１内に発生する捻れが互いに打ち消され、捻れや歪み等が全く発生せず、形態安定性に優れる。また、例えば、フラットヤーンを用いた場合、いずれの方向に切断しても従来の緯メリヤスのように簡単にはほつれることがない。
【００１５】
また、ツインニット（タイプＣ）は、前記構成の編機を用い、相隣接するウエールにおいて、一対の下針を介して夫々閉鎖状編目を形成し、且つ同一対の閉鎖状編目間に連結されたシンカーループを一対の下針側に係止し、即ち、編目及びシンカーループを夫々下針のベラに係止させた状態で、タック編の位置まで下降させ、通常のタック編みの要領で編成することにより得られる。
【００１６】
図４にツインニット（タイプＣ）２の組織図を示す。同図において、８０，８１はそれぞれ閉鎖状編目、８３はタック編によるタック編ループで閉鎖状編目８０，８１に夫々係止、連結される。閉鎖状編目８０は、図３の如く左斜め上方向に向かって編成されており、一方閉鎖状編目８１は、右斜め上方向に向かって編成されている。従って前記閉鎖状編目８０，８１は夫々相反する方向に編成されているために、バランスがとれて生地内に発生する捻れが互いに打ち消され、捻れや歪み等が全く発生しない形態安定性等に優れる。更にタック編ループ８３を介して透かし孔状の生地が得られ、通気性等に優れる。勿論、ツインニット（タイプＢ）と同様、斜向性がなく、簡単にほつれることもない。
【００１７】
編地の素材としては、綿、絹、麻、羊毛等の天然繊維、ナイロン、ポリエステル、ポリウレタン、アクリル等の合成繊維、レーヨン、アセテート等の半合成繊維、下記の生体吸収性材料からなる繊維が例示される。
【００１８】
生体吸収性材料としては、コラーゲン、ゼラチン、アルブミン、フィブリン、エラスチン、グルコサミノグリカン、キチン、キトサン、などの天然素材（脱水、紫外線又は架橋剤により架橋したものも含まれる）、グリコール酸、乳酸（Ｄ体、Ｌ体、ＤＬ体）、カプロラクトン、ジオキサノン、トリメチレンカーボネートのホモポリマー又はこれらの共重合体が例示できる。
【００１９】
前記編地の糸の太さとしては１０デシテックスから１０００デシテックス、フィラメント数としては１から１０００フィラメントの糸が好ましい。
【００２０】
また、前記編組織における編目の一辺の長さ、即ち、例えば、図１において四角の枠で囲った一辺の長さ、図３のＡもしくはＢの四角で囲った一辺の長さ
が０．１ｍｍから１０ｍｍの範囲にあることが望ましい。
【００２１】
即ち、これが０．１ｍｍ未満であると編地を構成する繊維間の空間が狭く、基材内に細胞が侵入することが困難であり、１０ｍｍを越えると逆に空間が広すぎて繊維に付着した細胞間の連絡が困難となり、意図した組織構造を再生させることができないことによる。
【００２２】
本発明において、編地と生体吸収性材料を複合化させることで、以下のような効果が得られる；（１）編地の表面をコーティングすることで生体組織との界面における親和性の良い素材が得られる；（２）コーティング剤に薬物を混合することで、素材に薬物を添加することが出来る；（３）編地と発泡体と複合化することでより低張力領域での伸縮性に富む素材が得られる；（４）種々の大きさの孔をもつ素材が得られる。（５）伸縮性や形態安定性に優れ、切断しても端部がほつれ難い。
【００２３】
生体吸収性材料の複合化は、編地を生体吸収性材料に浸漬、含浸等によりコーティングする方法、編地を生体吸収性材料からなる発泡体（スポンジを含む）で覆う方法、編地表面に生体吸収性材料からなるシート、フィルム、編織物などを接着する方法などが例示される。発泡体の作製方法としては、具体的には、
（１）ポリマー溶液を型に入れて凍結した後、凍結乾燥する方法（凍結温度、ポリマーの濃度によって種々の空孔径を有する発泡体が得られる）、溶出法水溶性物質を基材とするポリマー溶液に混合し、乾燥後、当該水溶性物質を水洗によって洗い流す方法（水溶性物質の粒子に応じた径を有する発泡体が得られる）。水溶性物質としては、シュークロースが適当に使用できる。
【００２４】
複合化は、編地の一部（中心部、端部、片面など）のみであってもよく、編地の全面で行ってもよい。
【００２５】
再生医療用基材で再生される対象としては、血管、心臓弁、心膜、骨、軟骨、神経、皮膚、粘膜、靭帯、腱、筋肉、気管、食道、腸、硬膜などの全ての臓器、組織が含まれる。
【００２６】
本発明の基材には、細胞を播種し、培養することにより、各種器官、組織、臓器を再生することが可能で、播種する細胞としては、胚性幹細胞、神経幹細胞、臓器幹細胞、造血幹細胞、間葉系幹細胞などの各種幹細胞、各種器官、組織、臓器を構成する細胞（例えば心血管系組織では、内皮細胞、平滑筋細胞、線維芽細胞など）が例示される。細胞は、１種又は２種以上を併用することができる。
【００２７】
【発明の効果】
本発明は、バランスがとれ、生地の捻れや歪み、ほつれ等が発生することのない品質に優れたツインニット（タイプＡ）、ツインニット（タイプＢ）、又はツインニット（タイプＣ）を用いることで、伸縮性や形態安定性に優れ、切断しても端部がほつれ難い再生医療用基材を得ることができる。
【図面の簡単な説明】
【図１】ツインニット（タイプＡ）の構造を示す。ツインニット（タイプＡ）タイプの編み目の大きさは、図１中の破線の□で囲った部分を（編み）目の繰り返し、編み目の一構成単位（ユニット）とする。編目の大きさとは、破線□の縦方向の長さ、と横方向の長さで現す。
【図２】ツインニット（タイプＢ）の構造を示すメリヤス生地の平面図である。
【図３】ツインニット（タイプＢ）の構造を示す。ツインニット（タイプＢ）の編み目の大きさは、図２中の破線の□で囲った部分を（編み）目の繰り返し、編み目の一構成単位（ユニット）とする。編目の大きさとは、破線□の縦方向の長さと横方向の長さで現す。□Ａと□Ｂで１リピートなるが□Ａと□Ｂ左右対称であり、編み目の１ユニットとする。
【図４】ツインニット（タイプＣ）の構造を示すメリヤス生地の平面図である。
【図１】
2004208908.tif 000003
【図２】
2004208908.tif 000004
【図３】
2004208908.tif 000005
【図４】
2004208908.tif 000006